(57)【要約】【課題】袋の内側に籾殻等が残留することを排除するとともに、袋の取扱いを容易とした籾殻等の収納袋を提供する。【解決手段】籾殻等の収納袋として、合成樹脂モノフィラメントをラッセル編みしてなる網地を縫製して袋主体を構成し、その袋主体の上縁及びそれと連続する一方側の側縁の途中部分までにＬ字型に連続した開口部を設け、該開口部は開閉用ファスナーで開閉自在とするという手段を採用した。そして、上記開口部は、袋主体の側縁の長さの半分の位置まで設けるという手段を採用した。また、上記網地の目合いが、籾殻の野毛が係着し得ない程度の細かさの目合いである１．０ｍｍから１．２ｍｍの目合いであるという手段を採用した。【選択図】図２
0003165557.tif 000002
【実用新案登録請求の範囲】
【請求項１】
合成樹脂モノフィラメントをラッセル編みしてなる網地を縫製して袋主体を構成し、その袋主体の上縁及びそれと連続する一方側の側縁の途中部分までにＬ字型に連続した開口部を設け、該開口部は開閉用ファスナーで開閉自在としたことを特徴とする籾殻等の収納袋。
【請求項２】
上記開口部は、袋主体の側縁の長さの半分の位置まで設けた請求項１記載の籾殻等の収納袋。
【請求項３】
上記網地の目合いが、籾殻の野毛が係着し得ない程度の細かさの目合いである１．０ｍｍから１．２ｍｍの目合いである請求項１又は請求項２記載の籾殻等の収納袋。
【請求項４】
上記袋本体の開口部側の側縁の表地及び裏地に、袋本体の他方の側縁上端に、及び、袋本体の左右側縁の下端に、それぞれ把手を設けた請求項１から請求項３のいずれか１項記載の籾殻等の収納袋。
【考案の詳細な説明】
【技術分野】
【０００１】
この考案は、籾摺り機などのダクトから排出される籾殻等を、収納・保管するための収納袋に関する。
【背景技術】
【０００２】
従来より、籾摺り機のダクトから風送排出される籾殻等を捕集するための収納袋として、籾殻等が通過し得ない大きさの網目を有する網地を袋状に縫製した各種の収納袋が広く利用されている。そして、その素材としては、例えば、合成樹脂モノフィラメントをラッセル編みしてなる網地が、通気性がよく、且つ、籾殻等をよく捕集するとして広く採用されている。
【０００３】
また、この種の収納袋としては、特許文献１から３に開示されているように、種々の形式の収納袋が提案されている。例えば特許文献１では、袋主体の上部両側縁に籾摺り機のダクトが挿通可能な大きさの開口部を対設した構成で、籾殻の飛散を防止し、確実に回収しようとする収納袋を開示している。また、特許文献２では、網地の少なくとも一面に、ウェッブを直接絡着した合成不織布を袋状に縫製した構成で、通気性と除塵性を併せ持った収納袋を提案している。さらに、特許文献３では、籾殻が通過しない大きさの網目を有する網地によって袋体を構成し、その底面をガゼット折りによって形成して自己起立性を付与した収納袋を提案している。
【先行技術文献】
【特許文献】
【０００４】
【特許文献１】実公昭５５−１４１９９号公報
【特許文献２】実公昭６２−２１５５６号公報
【特許文献３】実用新案登録第３０８５３８９号公報
【考案の概要】
【考案が解決しようとする課題】
【０００５】
ところで、これらの収納袋に収納する籾殻等は、表面に野毛があったり、また、割れなどにより先端に鋭角部分を有するものなどがある。従来より使用されている収納袋は、通気性がよく、且つ、籾殻等をよく捕集するものであるが、なお、その網地の目合いが比較的粗いものであったので、これら籾殻の野毛や鋭角部分が袋内側の網目に引っ掛かり、袋からの排出後も、袋内側に籾殻等が残留してしまうものであった。そのため、そのまま穀類等の収納袋として転用しようとすると、穀類に残留した籾殻等が混入してしまい、穀類等の品質を低下させるおそれがあった。また、残留した籾殻等を除去する作業にも手間を要していた。そのため、袋を二重構造として、裏地にきわめて目地の細かい生地を使用した収納袋も提案されているが、この場合、どうしてもコストが高くなるという課題が残されている。
【０００６】
また、従来のこの種の収納袋は、袋の天または地のいずれか一辺に設けられたファスナー付き開口部を開放して籾殻を排出するのが一般的であったが、近年、農作業従事者の高齢化に伴い、比較的大型のこの種収納袋の排出作業その他の取扱いが困難となっている。
【０００７】
本考案は、かかる実情に鑑みて考案をしたものであって、袋の内側に籾殻等が残留することを排除するとともに、袋の取扱いを容易とした籾殻等の収納袋を提供することを目的とするものである。
【課題を解決するための手段】
【０００８】
上述した課題を解決するため、本考案は、籾殻等の収納袋として、合成樹脂モノフィラメントをラッセル編みしてなる網地を縫製して袋主体を構成し、その袋主体の上縁及びそれと連続する一方側の側縁の途中部分までにＬ字型に連続した開口部を設け、該開口部は開閉用ファスナーで開閉自在とするという手段を採用した。
【０００９】
そして、上記開口部は、袋主体の側縁の長さの半分の位置まで設けるという手段を採用した。
【００１０】
また、上記網地の目合いが、籾殻の野毛が係着し得ない程度の細かさの目合いである１．０ｍｍから１．２ｍｍの目合いであるという手段を採用した。
【００１１】
そして、上記袋本体の開口部側の側縁の表地及び裏地に、袋本体の他方の側縁上端に、及び、袋本体の左右側縁の下端に、それぞれ把手を設けるという手段を採用した。
【考案の効果】
【００１２】
上記構成の本考案に係る籾殻等の収納袋は、籾殻の野毛が係着し得ない程度の細かさの目合いを有する網地を縫製して袋主体を構成しているので、籾殻の排出時に、袋の内側に籾殻等が残留することがない。そのため、例えば穀物等の収納袋として転用する場合も、穀物の籾殻が混入することがないので、品質低下を防止することができるという優れた効果が期待できる。
【００１３】
また、残留した籾殻等を除去する作業を排除できるから、各種の作業効率が向上するものである。
【００１４】
さらに、袋主体の各所に把手を設けているので、運搬や排出時に持ちやすく、高齢の作業者にとっても、取扱いが容易であるという効果も期待できる。
【図面の簡単な説明】
【００１５】
【図１】本考案に係る籾殻等の収納袋の実施形態を示す正面図である。
【図２】開口部を開いた状態を示す正面図である。
【考案を実施するための形態】
【００１６】
以下、本発明に係る籾殻等の収納袋について、好ましい実施形態を添付した図面に従って説明する。各図において、１は、およそ横９５ｃｍ×縦１７０ｃｍの大きさの袋主体であり、後述するように、籾殻の野毛が係着し得ない程度の細かさの目合いの網地で構成する。そして、図２に示すように、袋主体１の上縁からそれと連続する一方側の側縁の途中部分までＬ字型に連続した開口部２を有する袋状としたものである。なお、図面では、側縁の長さのほぼ半分の位置、即ち、中央部分まで開口部２を設けているが、これに限定するものではない。この開口部２には、一連の開閉用ファスナー３が縫着され、この開閉用ファスナー３には、両端から中央に向かって開口部２を閉じるように一対のスライダー３ａ、３ａを対向して設けている。なお、袋主体の大きさもこれに限定されるものではなく、必要に応じて適宜なサイズを採用することができる
【００１７】
また、袋本体１の左右側縁の上端近傍には、補強用の当て布をして吊り下げ用の鳩目環４、４を設けている。さらに、５、５は袋本体１の上記開口部２側の側縁の表地及び裏地に設ける把手、６は袋本体１の他方の側縁上端に設ける把手、７、７は、袋本体１の左右側縁の下端にそれぞれ設ける把手である。なお、図中、点線で示した部分は、主な縫合線である。
【００１８】
上記袋主体１は、適宜な太さの合成樹脂モノフィラメントをラッセル編みしてなる網地を袋状に縫製して構成するものであるが、本考案に係る収納袋においては、従来の収納袋のように籾殻等が通過し得ない目合いを有する網地に代えて、さらに目合いがおよそその半分の大きさの網地を使用している。即ち、籾殻の野毛が係着し得ない程度の細かさとする。具体的には、従来の１．８ｍｍから２．０ｍｍの目合いを有する網地に代えて、１．０ｍｍから１．２ｍｍ程度の目合いを有する網地を採用する。なお、目合いの数値はこれに限定されず、上述したように、籾殻の野毛が係着し得ない程度の細かさの目合いが採用される。
【００１９】
本考案に係る収納袋は、かかる細かい目合いの網地で袋本体１を構成しているので、捕集作業時には十分な通気性が確保できる一方、籾殻は確実に捕集する。また、籾殻等の排出時には、その網地の内側に籾殻等が引っ掛かって残留することがないので、すべてを確実に排出することができる。そのため、籾殻の収納袋としての使用後、ほかの各種穀物の収納袋としての転用が容易となる。
【００２０】
さらに、開口部２を、袋本体１の上縁一端から反対側の側縁の途中部分にかけて広く設けたので、全開すれば、従来のこの種収納袋に比べて開口面積が非常に大きくなり、籾殻等を容易に、且つ、一気に排出できる。このとき、各所に設けた把手５、６、７を適宜利用することにより、袋を確実に保持できるから、高齢者等にとっても、排出作業を容易に行うことができる。とくに、開口部２の把手５、５は側縁の表地及び裏地にそれぞれ設けているので、開口部２を大きく開くことができる。
【００２１】
なお、上記構成に係る本案の収納袋は、従前のものと同様に、袋主体の上縁の鳩目環４、４を、別途用意された吊下杆（図示せず）に吊下し、開閉用ファスナー３の一部を開放してその開口部分に籾摺り機の排出ダクト（図示せず）を挿入して籾殻を捕集することができる。このとき、予め複数の袋を吊下杆に吊下しておけば、連続して捕集作業をすることも可能である。
【符号の説明】
【００２２】
１    袋主体
２    開口部
３    開閉用ファスナー
３ａ  スライダー
４    鳩目環
５    把手
６    把手
７    把手
【図１】
0003165557.tif 000003
【図２】
0003165557.tif 000004